(57)【要約】  【課題】  カバー部材を本体に容易に装着でき、かつ高い防水性を実現する電子機器およびそれに用いるカバー部材を提供すること。  【解決手段】  被収納物１ａを収納するための収納部３を開口して備えるケース部材２と、ケース部材２の開口部を覆うように着脱可能なカバー部材１０と、を有し、ケース部材２およびカバー部材１０の内の一方の部材は、他方の部材へ突出するリブ１２を備え、他方の部材は、収納部３の外周囲に、閉ループ状の弾性部材６を備え、弾性部材６は、閉ループの内外方向に設けられる２つの壁部７を有し、２つの壁部７の先端部は、リブ１２よりも小さい間隙にて開口すると共に、互いに内側に向かって延出し、リブ１２の挿入時に巻回するように変形する電子機器１としている。【選択図】図４
2012256720.tif 000002
【特許請求の範囲】
【請求項１】
被収納物を収納するための収納部を開口して備えるケース部材と、
上記ケース部材の開口部を覆うように着脱可能なカバー部材と、
を有し、
上記ケース部材および上記カバー部材の内の一方の部材は、他方の部材へ突出するリブを備え、
上記他方の部材は、上記収納部の外周囲に、閉ループ状の弾性部材を備え、
上記弾性部材は、上記閉ループの内外方向に設けられる２つの壁部を有し、当該２つの壁部の先端部は、上記リブよりも小さい間隙にて開口すると共に、互いに内側に向かって延出し、上記リブの挿入時に巻回するように変形する電子機器。
【請求項２】
請求項１に記載の電子機器であって、
前記２つの壁部の前記先端部を除く間隙は、前記リブの幅よりも大きいことを特徴とする電子機器。
【請求項３】
請求項１または請求項２に記載の電子機器であって、
前記壁部の先端部の厚みは、根元部の厚みよりも小さいことを特徴とする電子機器。
【請求項４】
被収納物を収納するための収納部を開口して備える電子機器のケース部材に対して、上記収納部の開口部を覆うように着脱可能に備えるカバー部材であって、
上記収納部の外周囲に形成されるリブと対向する位置に、閉ループ状の弾性部材を備え、
上記弾性部材は、上記閉ループの内外方向に設けられる２つの壁部を有し、当該２つの壁部の先端部は、上記リブよりも小さい間隙にて開口すると共に、互いに内側に向かって延出し、上記リブの挿入時に巻回するように変形することを特徴とするカバー部材。
【請求項５】
請求項４に記載のカバー部材であって、
前記２つの壁部の前記先端部を除く間隙は、前記リブの幅よりも大きいことを特徴とするカバー部材。
【請求項６】
請求項４または請求項５に記載のカバー部材であって、
前記壁部の先端部の厚みは、その根元部の厚みよりも小さいことを特徴とするカバー部材。
【発明の詳細な説明】
【技術分野】
【０００１】
本発明は、電子機器およびそれに用いるカバー部材に関する。
【背景技術】
【０００２】
近年、携帯電話等の電子機器において、防水機能等が求められる場合がある。電子機器に防水機能を付与するには、少なくとも、本体に被収納物を収納するための収納部を覆うカバー部材と収納部との隙間から水が入りこまないようにする必要がある。たとえば、電池収納部へ水が入り込まないようにするために、電池収納部を覆うカバー部材に弾性体を有する環状の突起部を備え、電池収納部の外周にその弾性体が圧入される溝を備える構造が知られている（例えば、特許文献１を参照）。
【先行技術文献】
【特許文献】
【０００３】
【特許文献１】特開２００８−２８８１７４
【発明の概要】
【発明が解決しようとする課題】
【０００４】
特許文献１に開示される構造によれば、弾性体を有する突起部が溝に挿入されることで、弾性体と溝の内側とが密着し、外部から収納部への水の浸入を防ぐことができる。しかし、突起部を被覆する弾性体は、溝を形成する樹脂表面に対して難滑性を呈し、溝に挿入し難いという問題がある。特に、カバー部材の突起部と溝との間の寸法誤差が大きい場合には、弾性体を溝内に挿入することが、さらに困難になる。突起部が溝に不完全に挿入された状態は、防水性能の低下を招くので好ましくない。
【０００５】
本発明は、かかる問題を解消すべくなされたものであって、カバー部材を本体に容易に装着でき、かつ高い防水性を実現することのできる電子機器およびそれに用いるカバー部材を提供することを目的とする。
【課題を解決するための手段】
【０００６】
上記目的を達成するため、本発明の一実施の形態は、被収納物を収納するための収納部を開口して備えるケース部材と、ケース部材の開口部を覆うように着脱可能なカバー部材と、を有し、ケース部材およびカバー部材の内の一方の部材は、他方の部材へ突出するリブを備え、他方の部材は、収納部の外周囲に、閉ループ状の弾性部材を備え、弾性部材は、閉ループの内外方向に設けられる２つの壁部を有し、２つの壁部の先端部は、リブよりも小さい間隙にて開口すると共に、互いに内側に向かって延出し、リブの挿入時に巻回するように変形する電子機器としている。
【０００７】
また、２つの壁部の先端部を除く間隙は、リブの幅よりも大きいのが好ましい場合もある。
【０００８】
さらに、壁部の先端部の厚みは、根元部の厚みよりも小さいのが好ましい場合もある。
【０００９】
本発明の別の一実施の形態は、被収納物を収納するための収納部を開口して備える電子機器のケース部材に対して、収納部の開口部を覆うように着脱可能に備えるカバー部材であって、収納部の外周囲に形成されるリブと対向する位置に、閉ループ状の弾性部材を備え、弾性部材は、閉ループの内外方向に設けられる２つの壁部を有し、２つの壁部の先端部は、リブよりも小さい間隙にて開口すると共に、互いに内側に向かって延出し、リブの挿入時に巻回するように変形するカバー部材としている。
【００１０】
また、２つの壁部の先端部を除く間隙は、リブの幅よりも大きいのが好ましい場合もある。
【００１１】
壁部の先端部の厚みは、その根元部の厚みよりも小さいのが好ましい場合もある。
【発明の効果】
【００１２】
本発明によれば、カバー部材を本体に容易に装着でき、かつ高い防水性を実現することができる。
【図面の簡単な説明】
【００１３】
【図１】本発明の実施の形態に係る電子機器の一例である携帯電話機を、その操作面側から見た斜視図である。
【図２】図１に示す携帯電話機を、その背面側から見た分解斜視図である。
【図３】図２に示すカバー部材を、被収納物に対向する面側から見た斜視図である。
【図４】図１に示す携帯電話機を、ケース部材と、カバー部材とに分離して示すＡ−Ａ線断面図である。
【図５】図１に示す携帯電話機のＡ−Ａ線断面図である。
【図６】図４のＢで示す部分について、リブの押し込み量と弾性部材との状態を拡大して示す拡大断面図である。
【図７】弾性部材の変形例における図４のＢと同様の領域を示す拡大断面図である。
【図８】弾性部材の別の変形例における図４のＢと同様の領域を示す拡大断面図である。
【図９】弾性部材の別の変形例における図４のＢと同様の領域を示す拡大断面図である。
【図１０】弾性部材の別の変形例における図４のＢと同様の領域を示す拡大断面図である。
【図１１】本発明の変形例１に係る携帯電話機における図５と同様の領域を示すＡ−Ａ線断面図である。
【図１２】本発明の変形例２に係る携帯電話機における図５と同様の領域を示すＡ−Ａ線断面図である。
【発明を実施するための形態】
【００１４】
次に、本発明の電子機器およびそれに用いるカバー部材の各実施の形態について、図面を参照しながら説明する。なお、以下、電子機器の実施の形態を説明する中で、カバー部材の実施の形態についても説明する。
【００１５】
図１は、本発明の実施の形態に係る電子機器の一例である携帯電話機１を、その操作面側から見た斜視図である。
【００１６】
本発明の実施の形態に係る電子機器の一例である携帯電話機１は、薄い略直方体形状を有する。また、携帯電話機１は、ケース部材２側に表示部等を露出し、ケース部材２の操作面と逆側（以後、「背面側」という。）に、カバー部材１０を着脱可能に備える。ケース部材２およびカバー部材１０は、共に、携帯電話機１の筺体の一部を構成することから、同じ部材から構成されるのが好ましい。なお、以後の説明において、操作面から背面への方向を高さ方向という。
【００１７】
図２は、図１に示す携帯電話機１を、その背面側から見た分解斜視図である。図３は、図２に示すカバー部材１０を、被収納物１ａに対向する面側から見た斜視図である。図４は、図１に示す携帯電話機１を、ケース部材２と、カバー部材１０とに分離して示すＡ−Ａ線断面図である。図５は、図１に示す携帯電話機１のＡ−Ａ線断面図である。なお、図４およびそれ以後の断面図では、見易さを考慮して、各部材の厚さの比率を実際の比率と変えて図示している。また、被収納物１ａは、薄い略直方体の形態として図示している。
【００１８】
ケース部材２は、被収納物１ａを収納する収納部３を開口して備える。被収納物１ａは、本実施の形態において、薄い略直方体である。被収納物１ａとしては、たとえば、携帯電話機１の制御部、記憶部、電池、メモリーディスクあるいはＰＣＢ等が挙げられる。なお、被収納物１ａは、収納部３から脱落しないように固定されてもよいし、収納部３とカバー部材１０とに挟まれることにより保持されてもよい。
【００１９】
ケース部材２は、その外周に側壁４を有している。側壁４は、その内周面に、内周側に突出する係止爪４ａを有している。また、ケース部材２は、側壁４の内側と収納部３との間にある平坦部５に、弾性部材６を有する。弾性部材６は、収納部３の外周囲に設けられる閉ループ状の部材である。弾性部材６は、接着剤等により、平坦部５に固着される。平坦部５は、弾性部材６を固着する位置の位置決めを容易にするために、弾性部材６を固着する位置に突起あるいは印（不図示）を有してもよい。
【００２０】
弾性部材６は、壁部として、内周側の第１の壁部７ａと、第１の壁部７ａの外側を囲むように配置される第２の壁部７ｂと、を有する。第１の壁部７ａおよび第２の壁部７ｂ（以後、第１の壁部７ａと第２の壁部７ｂとの両方を指す場合には、「壁部７」という。）は、閉ループ状に形成されている。第１の壁部７ａと第２の壁部７ｂとの各先端部の間隙は、内外方向の幅Ｗ１にて離間している。また、第１の壁部７ａと第２の壁部７ｂとは、各先端部より根元に近い位置において、内外方向の幅Ｗ２（Ｗ２＞Ｗ１）にて離間している。幅Ｗ２は、後述するリブ１２の幅Ｗ３よりも大きいのが好ましい。ただし、幅Ｗ２がリブ１２の幅Ｗ３と同一若しくは狭くても、リブ１２の挿入時に壁部７が開くように変形容易であればよい。
【００２１】
壁部７の幅方向の厚さは、たとえば、０．２ｍｍ以上、より好ましくは、０．５ｍｍ以上である。壁部７の幅方向の厚さが０．２ｍｍ以上の場合、一般的な成形法により壁部７を成形しやすく、かつ壁部７の形状を保持可能である。なお、壁部７の先端部分の幅方向の厚さは、根元部分のそれよりも小さいのが好ましい。かかる形態により、壁部７の先端部分が変形しやすくなる一方、壁部７の剛性が高くなり、壁部７と後述するリブ１２との間の封止力が向上する。
【００２２】
壁部７は、柔軟性に富む弾性体にて主に形成される。たとえば、壁部７の好適な硬度は、ＪＩＳ−Ａ硬度にて９０度以下、より好ましくは６０度以下である。かかる硬度範囲では、後述するリブ１２は、壁部７の先端部を内側に向けて変形させやすい。また、壁部７の先端部は、互いに内側に向かって延出しており、巻回しやすい構造となっている。したがって、リブ１２が壁部７の先端部を押し下げると、壁部７の先端部は、巻回するように屈曲し、壁部７の対向しない面側が、リブ１２の側面に接する。また、壁部７の形状を保持するために、壁部７の好適な硬度は、ＪＩＳ−Ａ硬度にて１０度以上、さらに好適な硬度は３０度以上である。
【００２３】
また、壁部７は、カバー部材１０の着脱動作を繰り返す場合に、後述するリブ１２により変形と開放とを繰り返すため、その形状をある程度保持可能な材料から構成されるのが好ましい。たとえば、ＪＩＳ  Ｋ  ６２６２に準拠した測定法より測定された圧縮永久歪（ＣＳ）が５０％以下、好ましくは２０％以下であることが好ましい。ＣＳが５０％以下の場合、第１の壁部７ａおよび第２の壁部７ｂは、数回の変形により、元の形状に復元しやすく、寸法精度が維持できるため、十分に高い防水性能を発揮しやすい。
【００２４】
壁部７を構成する材料としては、例えば、ポリエステル系、ポリウレタン系あるいはポリオレフィン系等の熱可塑性エラストマー、または、天然ゴム、イソプレンゴム、ブタジエンゴム、クロロプレンゴム、アクリロニトリル‐ブタジエンゴム（ＮＢＲ）、ブチルゴム、エチレンプロピレンジエンゴム（ＥＰＤＭ）、アクリルゴム、シリコーンゴムあるいはフッ素ゴム等の熱硬化性エラストマーを好適に用いることができる。その中でも、シール材として必要な特性、たとえば、耐熱性、耐寒性、耐候性、耐薬品性および圧縮永久歪等に優れ、比較的安価なシリコーンゴムを特に好適に用いることができる。
【００２５】
ケース部材２およびカバー部材１０は、たとえば、薄いトレイ形状の成型体である。ケース部材２およびカバー部材１０は、成形性および加工性等の理由から、ＡＢＳ樹脂、ポリカーボネート樹脂、ポリアミド樹脂あるいはＰＢＴ樹脂等の熱可塑性樹脂、または、それらのアロイ等から好適に構成される。さらに、それらの樹脂にガラスファイバー等を混合してもよい。カバー部材１０は、収納部３に収納された被収納物１ａを覆うように、ケース部材２に装着される。ケース部材２およびカバー部材１０は、カバー部材１０がケース部材２に装着された際に、それらの両側面が面一になるように構成されている。
【００２６】
カバー部材１０は、ケース部材２に装着した場合に、ケース部材２側へ突出するリブ１２を有する。リブ１２は、カバー部材１０をケース部材２に取り付けた際に、第１の壁部７ａと第２の壁部７ｂとの間隙に対向する位置に設けられている。また、カバー部材１０は、リブ１２の外周を取り囲む外壁１３を有する。外壁１３は、リブ１２と離間して設けられている。さらに、カバー部材１０は、外壁１３の外周に、外壁１３より低い段差をもって略水平な外周面１４を有する。外壁１３の外周側の面は、その外周を取り囲むように、外周側に突出する係止用突起１５を有している。
【００２７】
カバー部材１０をケース部材２に取り付けると、ケース部材２およびカバー部材１０は、カバー部材１０の係止用突起１５がケース部材２の係止爪４ａに引っ掛かることにより係止される。また、カバー部材１０をケース部材２に取り付けると、リブ１２は、第１の壁部７ａと第２の壁部７ｂとの間隙に挿入される。
【００２８】
リブ１２は、高さがＨおよび幅がＷ３の閉ループ状にて、カバー部材１０に設けられている。リブ１２は、その断面が略直方体であって、その先端側および根元側の両幅とも、強度や成形性を考慮して、０．２ｍｍ以上であるのが好ましい。リブ１２は、壁部７の先端部を押し込んで、壁部７を先端側から巻回するように変形させるのに十分な高さを必要する。リブ１２の好適な高さＨは、０．５ｍｍ以上、より好ましくは１．０ｍｍ以上である。なお、リブ１２は、カバー部材１０と別体に固定されても、あるいは一体的に形成されてもよい。さらに、リブ１２の先端部は、平面あるいは曲面であるのがより好ましい。
【００２９】
図６の（Ａ）〜（Ｃ）は、図４のＢで示す部分について、リブ１２の押し込み量と弾性部材６との状態を拡大して示す拡大断面図である。
【００３０】
図６の（Ａ）に示すように、第１の壁部７ａと第２の壁部７ｂとの先端部は、互いに近づく方向に屈曲している。壁部７の先端部の間隙Ｗ１は、これと対向するリブ１２の幅Ｗ３よりも小さい。カバー部材１０をケース部材２に取り付けると、リブ１２は、まず、図６の（Ｂ）に示すように、壁部７の先端側を、平坦部５側の空間に向けて押し込む。
【００３１】
リブ１２が壁部７の先端側を当該空間に向けてさらに押し込むと、図６の（Ｃ）に示すように、壁部７は、巻回するように変形する。リブ１２の先端が、巻回した壁部７同士の間隙に挿入を続けていくと、壁部７の巻回回数が多くなり、壁部７にてリブ１２を挟み込む力が徐々に強くなる。最終的に、壁部７は、リブ１２の側面に密着する。したがって、カバー部材１０をケース部材２に取り付け、リブ１２が壁部７に挟まれた状態において、外部から浸入した水は、収納部３に浸入しにくくなる。
【００３２】
上述のような携帯電話機１においては、カバー部材１０をケース部材２に取り付ける際、リブ１２が壁部１２の先端部に接触した初期段階には、先端部が容易に内側の空間内に変形するので、リブ１２の挿入の抵抗は低い。その後、リブ１２の挿入が進行するにしたがって、壁部７の先端部が巻回して太くなるため、リブ１２の挿入抵抗が大きくなる。ついには、壁部７の先端側の巻回外周面が、リブ１２をしっかりと挟み込み、リブ１２に密着する。その結果、外部からの異物（水等）が収納部３の内部に入らないように、効果的に封止できる。このように、上述のような携帯電話機１においては、カバー部材１０をケース部材２に容易に装着できることに加え、かつ、高い防水性を実現できる。
【００３３】
また、上述のように、壁部７の先端部が変形しやすいので、弾性部材６に滑り性を向上させるための被覆層を設ける必要はない。この結果、生産性の向上に加えて、製造コストの低減も可能である。ただし、壁部７は、耐異物付着性、滑り性および撥水性の少なくともいずれか１つを向上させる等のために、その表面に壁部７とは別の部材による被覆層を設けてもよい。その被覆層は、たとえば、フッ素含有樹脂により形成されていてもよい。あるいは、リブ１２が弾性部材６に対して滑ってしまうことで壁部７が巻回しにくくなることを防止するため、壁部７に滑り性を低下させる被覆層等を設けてもよい。また、ケース部材２には、両方の壁部７を挟んで両側若しくはいずれか片側に、リブ１２の挿入時に壁部７が過度に拡がるのを規制する延出部を設けても良い。延出部は、壁部７の外側面全部と固着されない限り、例えば、壁部７の変形容易な先端部を除く根元側の領域と固着される状態、壁部７の外側面に接する状態、あるいは壁部７の外側面と空間をあけた状態にて形成することができる。なお、延出部は、先端部の変形の障害にならないように、壁部７の先端部よりも低く形成される方が好ましい。
【００３４】
以上、本発明の電子機器およびそれに用いるカバー部材の好適な実施の形態を説明してきたが、本発明は、上述の実施の形態に限定されず、種々の変形を施して実施することができる。
【００３５】
例えば、上述の実施の形態では、電子機器として携帯電話機１を例示したが、携帯電話機１以外の電子機器にも応用可能であって、例えば、ＰＤＡ、固定電話機、ホームオーディオ機器、車載用オーディオ機器、カーナビゲーション機器、バッテリーを搭載する電気自動車等の機器にも応用できる。また、上述の実施の形態では、収納部３への水の浸入を防止する構造を例示したが、上述の構造では、水以外の液体や埃等の、他の異物を防止することができる。
【００３６】
また、上述の実施の形態では、収納部３は、背面側から見て、角が曲面の直方体としたが、このような形態に限らない。収納部３およびカバー部材１０等の形状は、被収納物１ａの形状により円形、あるいはその他の多角形等の形状であってもよい。
【００３７】
また、上述の実施の形態では、ケース部材２が係止用爪４ａを有し、カバー部材１０が係止用突起１５を有する形態としているが、このような形態に限らない。係止用突起１５と係止爪４ａとの引掛構造以外の構造により、カバー部材１０とケース部材２とが固定されてもよい。たとえば、ケース部材２にカバー部材１０をネジ止めしてもよい。
【００３８】
図７〜１０は、弾性部材６の変形例における図４のＢと同様の領域を示す拡大断面図である。なお、以下の変形例においては、携帯電話機１と同じ構成要素については、同じ符号を用いて説明する。
【００３９】
上述の実施の形態では、弾性部材６が有する第１の壁部７ａおよび第２の壁部７ｂは、別々に平坦部５に対し立設しているが、このような形態に限らない。図７に示すように、第１の壁部７ａと第２の壁部７ｂとは、その根元部に設けられた連接部分１６により連接されていてもよい。
【００４０】
上述の実施の形態では、壁部７の根元部は、平坦部５に対し略垂直に立設しているが、このような形態に限らない。図８に示すように、弾性部材６は、第１の壁部７ａと第２の壁部７ｂとが近づく方向に傾斜して形成されていても良い。かかる場合には、リブ１２の挿入により、壁部７がリブ１２から離れる方向に反りにくい。
【００４１】
上述の実施の形態では、弾性部材６は、先端部の厚みと根元部の厚みとが略同一の壁部７を有しているが、このような形態に限らない。図９に示すように、弾性部材６は、先端部の厚みＴ２が根元部の厚みＴ１よりも小さい壁部７を有してもよい。かかる場合には、リブ１２の挿入により、先端部が巻回しやすく、かつ、壁部７の根元部がリブ１２から離れる方向に反りにくいため、リブ１２と壁部７との密着を保つことができる。なお、先端部の厚みＴ２は、根元部の厚みＴ１より大きくすることもできる。特に、第１の壁部７ａと第２の壁部７ｂとを挟むように延出部を形成している場合には、第１の壁部７ａと第２の壁部７ｂとの間隙が過度に拡がらないので、根元部の厚みＴ１が先端部の厚みＴ２より小さくても良い。
【００４２】
また、図１０に示すように、壁部７は、平坦部５との間に脱気口１９を有してもよい。特に、防水性を高める必要から、脱気口１９は、収納部３側、すなわち内側の壁部７に形成されるのが好ましい。脱気口１９を形成すると、リブ１２により壁部７の先端部が押し下げられた際に、壁部７、リブ１２および平坦部５により囲まれた空間にある空気を脱気口１９からスムーズに排出できる。逆に、リブ１２を壁部７から引き抜くと、脱気口１９から当該空間に空気が流入する。このように、壁部７、リブ１２および平坦部５により囲まれた空間が閉空間とならないので、リブ１２を挿脱する際の挿入抵抗が小さい。なお、脱気口１９は、壁部７と平坦部５との間の一部を非接着状態とすることで設けられてもよいし、壁部７を貫通する孔を設けることにより形成してもよい。なお、この変形例では、脱気口１９は、高さ方向および長さ方向が、０．２ｍｍ以上、より好ましくは０．５ｍｍ以上にて設けられている。高さ方向が０．５ｍｍ以上の場合、リブ１２により壁部７が高さ方向に圧縮された場合であっても、脱気口１９は、開口した状態を保持できる。
【００４３】
（変形例１）
図１１は、本発明の変形例１に係る携帯電話機２０における図５と同様の領域を示す拡大断面図である。
【００４４】
上述の実施の形態では、弾性部材６は、閉ループ状に形成されているが、このような形態に限らない。図１１に示すように、収納部３の凹部内側の面までを覆う一体化シート２１の外周部分に弾性部材６を形成してもよい。一体化シート２１を有する弾性部材６を用いることにより、弾性部材６が部分的にケース部材２から剥離した場合にも、防水構造を維持できる。
【００４５】
（変形例２）
図１２は、本発明の変形例２に係る携帯電話機３０における図５と同様の領域を示す拡大断面図である。
【００４６】
上述の実施の形態では、ケース部材２が弾性部材６を有し、カバー部材１０がリブ１２を有する形態としたが、そのような形態に限らない。たとえば、図１２に示すように、ケース部材２にリブ３２を備え、カバー部材１０に弾性部材３６を備えてもよい。かかる場合には、リブ３２は、閉ループ状に、かつ収納部３の外周囲に位置するように、ケース部材２に設けられる。弾性部材３６は、閉ループ状に、かつリブ３２に対向するように、カバー部材１０に設けられる。また、弾性部材３６は、閉ループの内外方向に設けられる２つの壁部３７（第１の壁部３７ａおよび第２の壁部３７ｂ）を有し、壁部３７の先端部側の間隙は、リブ３２の幅よりも小さい。さらに、壁部３７の先端部は、リブ３２が押し込まれることにより、巻回するように変形できる。その場合において、２つの壁部３７の先端部を除く間隙は、リブ３２の幅よりも大きくしても良い。さらに、壁部３７の先端部の厚みは、根元部の厚みよりも小さくしても良い。
【００４７】
また、上述の実施の形態および変形例は、互いにそれぞれの特徴を１以上組み合わせても良い。たとえば、変形例１と変形例２とを組み合わせ、ケース部材２にリブ３２を備え、カバー部材１０に、シートの外周部分に弾性部材３６を形成した一体化シート２１を設けても良い。かかる場合には、一体化シート２１は、収納部３に収納された被収納物１ａを覆うように配置される。また、弾性部材３６は、壁部３７の先端部の厚みが根元部の厚みよりも小さく、かつ第１の壁部３７ａと第２の壁部３７ｂは、先端側を根元側よりも互いに近づけるように傾斜して立設されてもよい。
【産業上の利用可能性】
【００４８】
本発明は、被収納物の取り外しが可能な電子機器に用いることができる。
【符号の説明】
【００４９】
１，２０，３０  携帯電話機（電子機器の一例）
１ａ        被収納物
２          ケース部材
３          収納部
６，３６    弾性部材
７，３７    壁部
７ａ，３７ａ  第１の壁部
７ｂ，３７ｂ  第２の壁部
１０        カバー部材
１２，３２  リブ
Ｔ１        根元部の厚み
Ｔ２        先端部の厚み
Ｗ１        ２つの壁部の先端部の間隙
Ｗ２        ２つの壁部の間隙
Ｗ３        リブの幅
【図１】
2012256720.tif 000003
【図２】
2012256720.tif 000004
【図３】
2012256720.tif 000005
【図４】
2012256720.tif 000006
【図５】
2012256720.tif 000007
【図６】
2012256720.tif 000008
【図７】
2012256720.tif 000009
【図８】
2012256720.tif 000010
【図９】
2012256720.tif 000011
【図１０】
2012256720.tif 000012
【図１１】
2012256720.tif 000013
【図１２】
2012256720.tif 000014